(57)【特許請求の範囲】
【請求項１】
建物の躯体内に雨が侵入するのを防止する雨よけシートにおいて、
互いに平行な第１及び第２の辺部と、互いに平行な第３及び第４の辺部とを有する矩形のシート本体の前記第１の辺部の近傍は、袋状に形成され、この内部には、全長に渡って補強板が延在し、
この補強板には、前記建物の躯体の頂部に設けられている磁性体部に固着される磁石が等間隔で固定されていることを特徴とする雨よけシート。
【請求項２】
前記シート本体の前記第３の辺部の近傍には、隣接して配置される他のシート本体の辺部に覆い被さる継ぎ目隠し片が設けられていることを特徴とする請求項１記載の雨よけシート。
【請求項３】
前記継ぎ目隠し片には、前記躯体から突出して建築工事用足場に連結される足場繋ぎ部材の挿入が可能な切り込み部が形成されていることを特徴とする請求項２記載の雨よけシート。
【請求項４】
前記継ぎ目隠し片には、面ファスナの一方のファスナ部が固定され、前記第４の辺部の近傍には、前記面ファスナの他方のファスナ部が固定されていることを特徴とする請求項２又は３記載の雨よけシート。
【請求項５】
前記シート本体の前記第３の辺部及び前記第４の辺部の近傍には、前記第３及び第４の辺部に沿って複数個のハトメが設けられていることを特徴とする請求項１〜４の何れか一項に記載の雨よけシート。
【発明の詳細な説明】
【技術分野】
【０００１】
本発明は、建物の施工において、建物の躯体内に雨が侵入するのを防止するために利用される雨よけシートに関するものである。
【背景技術】
【０００２】
一般に建物の施工において、建物の内部の建材を濡らさないためには、躯体の防水工事や雨樋の設置を終えてから、内部・内装工事を行うことが望ましい。ここで、防水工事に関して、屋根面やベランダ面には、ルーフィング・防水シート敷設工事を行い、外壁面では、外装パネルを取り付けて、パネル間の隙間にシーリングが打設される。ところで、屋根防水については比較的早い段階で、仕上げ用の防水シート敷設の下地面としてルーフィングシートを用いて１次防水（仮防水）を行うことが一般的である。しかし、内部・内装工事に関しては、屋根から流れ出た雨水を排水するための雨樋の設置工事を行った後に行われているので、配管設置工事等を伴うこのような工事は所定の時間を要し、必然的に内部・内装工事への移行も約２週間前後の期間を費やし、建築工程上のクリティカルパスとなっている。このような期間は、建物の全体の工期に占める割合が大きく、建物完成までの工期短縮のために、雨樋完成前に内部・内装工事に着手したいという要望がある。
従来の技術として、特開２００６−１１８１２１号公報（特許文献１）がある。この公報に記載された雨よけシート(養生シート)は、建設現場の足場の外側に張設して利用され、シートの上端に固定されたランナーが、足場の横桟に沿って配置されたレールに引っ掛けられていることで、必要に応じてシートを広げたり束ねたりすることができる。
【先行技術文献】
【特許文献】
【０００３】
【特許文献１】特開２００６−１１８１２１号公報
【特許文献２】特開平１１−２６４２５２号公報
【発明の概要】
【発明が解決しようとする課題】
【０００４】
しかしながら、前述した従来の雨よけシートでは、レールにランナーを組み付ける作業を必要とし、しかも、レールを足場に固定するための保持具が必要になるので、雨よけシートの構造が複雑化し、設置作業も繁雑になり、雨よけシートを雨が降る直前や直後に、素早く設置することができない。また、雨よけシートが不要になった場合でも、雨よけシートを足場から簡単に外すことができないといった問題点がある。
【０００５】
本発明は、建物の躯体に対して着脱容易で、構造が簡単な雨よけシートを提供することを目的とする。
【課題を解決するための手段】
【０００６】
本発明は、建物の躯体内に雨が侵入するのを防止する雨よけシートにおいて、
互いに平行な第１及び第２の辺部と、互いに平行な第３及び第４の辺部とを有する矩形のシート本体の第１の辺部の近傍は、袋状に形成され、この内部には、全長に渡って補強板が延在し、この補強板には、建物の躯体の頂部に設けられている磁性体部に固着される磁石が等間隔で固定されていることを特徴とする。
【０００７】
この雨よけシートは、建物の躯体の頂部に設けられている磁性体部に着目し、この磁性体部を利用して、建物の躯体の周囲に雨よけシートを敷設するために、矩形のシート本体の第１の辺部の近傍には磁石が設けられている。この磁石が建物の躯体の頂部に設けられている磁性体部の表面に引っ付く（磁着する）ことで、雨よけシートを屋根側から簡単に垂らすことができる。しかも、磁石を躯体の磁性体部に付けたり外したりする作業を容易に行うことができるので、雨が降る直前や直後に雨よけシートを素早く敷設することができる。また、晴れた日に、太陽の光を建物の躯体内に取り込んで、内部・内装工事をしたい場合でも、雨よけシートを躯体から容易かつ迅速に外すことができ、これによって、工事の作業効率を向上させることができる。しかも、本発明の雨よけシートは、着脱が容易なので、雨樋完成前であっても内部・内装工事に着手することができ、これによって、工期を短縮することができる。
【０００８】
また、シート本体の第３の辺部の近傍には、隣接して配置される他のシート本体の辺部に覆い被さる継ぎ目隠し片が設けられていると好適である。
このような構成を採用すると、隣接する雨よけシート間の隙間を継ぎ目隠し片で塞ぐことができるので、雨よけシート間の隙間から雨水などの侵入を防止することができる。
【０００９】
また、継ぎ目隠し片には、躯体から突出して建築工事用足場に連結される足場繋ぎ部材の挿入が可能な切り込み部が形成されていると好適である。
このような構成を採用すると、躯体と足場とを連結するための足場繋ぎ部材が躯体側から突出していても、足場と躯体との間で、雨よけシートを躯体の外壁に沿って垂らすことができるので、足場が雨よけシートで塞がれてしまうような事態を無くすことができ、雨よけシートを垂らした状態でも足場を有効に利用することができる。
【００１０】
また、継ぎ目隠し片には、面ファスナの一方のファスナ部が固定され、第４の辺部の近傍には、面ファスナの他方のファスナ部が固定されていると好適である。
このような構成を採用すると、隣接する一方の雨よけシートのファスナ部と他方の雨よけシートのファスナ部とを面合わせるだけで、隣接する雨よけシート同士を簡単に接合することができる。
【００１１】
また、シート本体の第３の辺部及び第４の辺部の近傍には、第３及び第４の辺部に沿って複数個のハトメが設けられていると好適である。
このような構成を採用すると、一方の雨よけシートのハトメと他方の雨よけシートのハトメに紐を通して繋ぐことで、隣接する雨よけシート同士を簡単に接合させることができる。特に、面ファスナの接合力が弱くなった場合や、強風のときに効果的である。
【発明の効果】
【００１２】
本発明によれば、建物の躯体に対して着脱容易で、構造を簡単にすることができる。
【図面の簡単な説明】
【００１３】
【図１】本発明に係る雨よけシートの一実施形態を示す平面図である。
【図２】図１のＩＩ−ＩＩ線に沿う断面図である。
【図３】建物の躯体と足場との間に雨よけシートを配置した状態を示す断面図である。
【図４】工事中の建物を外から見た状態を示す斜視図である。
【発明を実施するための形態】
【００１４】
以下、図面を参照しつつ本発明に係る雨よけシートの好適な実施形態について詳細に説明する。
【００１５】
図１及び図２に示すように、建築工事用足場で囲まれた建物の躯体内に雨が侵入するのを防止するための雨よけシート１は、ポリエステル樹脂等の柔軟性があり、防水性、撥水性を有する材質からなる矩形のシート本体２を有し、このシート本体２の幅は、建物外壁面の幅に合わせ、設計モデュール寸法に基づいて、例えば、約３００〜１８００ｍｍであり、シート本体２の長さは、建物の高さに対応した長さになっている。例えば、シート本体２の長さは、２層の建物の場合は、約５０００〜６０００ｍｍ、３層の建物の場合は、約８０００〜９０００ｍｍが適切である。
【００１６】
このシート本体２は、軽量気泡コンクリート（ＡＬＣ）を帳壁とする鉄骨軸組構造である躯体Ａへの装着時の表側から見た場合において、上側に位置する第１の辺部２ａと、第１の辺部２ａに対して平行で下側に位置する第２の辺部２ｂと、左側に位置する第３の辺部２ｃと、第３の辺部２ｃに対して平行で右側に位置する第４の辺部２ｄとで矩形をなしている。
【００１７】
シート本体２の第１の辺部２ａの近傍には、ネオジウムからなる磁石３が設けられている。第１の辺部２ａの近傍は、袋状に形成され、この内部には、第１の辺部２ａの全長に渡って延在する補強板４が延在し、この補強板４には、等間隔で円板状の磁石３が接着剤またはリベット等を介して固定されている。また、補強板４は、第１〜第４の補強部４ａ〜４ｄに等分されており、それぞれの第１〜第４の補強部４ａ〜４ｄ間には隙間６が設けられ、雨よけシート１の幅は広いので、この隙間６によって、雨よけシート１を折り畳む際の縦方向の折り目を作り易くしている。また、シート本体２の第２の辺部２ｂは、折り返され、裾ズレによる破れを防止している。
【００１８】
図３に示すように、建物の躯体Ａの頂部には、躯体である軸組が組み立てられ、軸組梁で形成された２階床面、屋根面に、軽量気泡コンクリートの規格寸法で形成された屋根パネル１０、床パネルを、それぞれ設置して屋根スラブ、床スラブを形成し、外周部には外壁パネル１１を設置して外壁面を形成する。屋根面全体には、仕上げ防水シートの下地面となる仮防水シートが一面に張られた状態とし、屋根パネル１０の縁１０ａから外壁パネル１１の上部に渡って延在してビスによって固定されている幕板(磁性体部)１２が配置され、この幕板１２は、鋼板からなり、屋根パネル１０と外壁パネル１１との隙間を埋めて、躯体Ａ内に水が侵入することを防止している。
【００１９】
このように、建物の躯体Ａの頂部に設けられている幕板１２が磁性体であることに着目し、この幕板１２を利用して、建物の躯体Ａの周囲に雨よけシート１を装着するために、矩形のシート本体２の第１の辺部２ａの近傍には磁石３が設けられている。この磁石３を、建物の躯体Ａの頂部に設けられている幕板１２に引っ付けることで、雨よけシート１を屋根側から簡単に垂らすことができる。しかも、磁石３を躯体Ａの幕板１２に付けたり外したりする作業を容易に行うことができるので、雨が降る直前や直後に、雨よけシート１を素早く建物の外壁面に装着し、または脱着することができる。
【００２０】
また、晴れた日に、太陽の光を建物の躯体Ａ内に取り込んで、内部・内装工事をしたい場合でも、雨よけシート１を躯体Ａから容易にかつ迅速に外すことができ、これによって、工事の作業効率を向上させることができる。しかも、雨よけシート１は、着脱が容易なので、幕板１２に取り付けられる雨樋が完成前であっても内部・内装工事に着手することができ、これによって、工期を短縮することができる。
【００２１】
また、躯体Ａの外壁面から水平方向に突出して庇のようになっている屋根１０の縁１０ａより下側に位置する幕板１２の垂下部１２ａは、屋根１０の縁１０ａの先端より奥まった位置にあるので、この垂下部１２ａに磁石３を装着すると、雨よけシート１の第１の辺部２ａから雨が侵入することを効果的に防止することができる。したがって、仮防水シートの屋根面全周の縁１０ａに向かって拡散した雨水は、雨よけシート１の表面側を伝って地盤面に滴下して処理されるのである。なお、屋根１０の縁１０ａの上面に位置する幕板１２の水平部１２ｂに磁石３を装着することもできる。
【００２２】
さらに、図１及び図２に示すように、シート本体２の第３の辺部２ｃの近傍には、第３の辺部２ｃの全長に渡って延在する継ぎ目隠し片７が縫合によって固定されている。この継ぎ目隠し片７の裏面の遊端には、面ファスナ８の雌側のファスナ部８ａが縫合によって固定され、第４の辺部２ｄ近傍でシート本体２の表面側には、面ファスナ８の雌側のファスナ部８ｂが縫合によって固定されている。面ファスナ８の例としては、いわゆるマジックテープ(登録商標)がある。
【００２３】
このような構成を採用すると、図４に示すように、隣接する雨よけシート１Ａ，１Ｂ間の隙間９を継ぎ目隠し片７で塞ぐことができるので、雨よけシート１Ａ，１Ｂ間の隙間９から雨水などの侵入を防止することができる。そして、一方の雨よけシート１Ａのファスナ部８ｂと他方の雨よけシート１Ｂのファスナ部８ａとを面合わせするだけで、継ぎ目隠し片７で隙間９を塞ぎつつ、隣接する雨よけシート１Ａ，１Ｂ同士を簡単に接合させることができる。
【００２４】
さらに、図１及び図２に示すように、継ぎ目隠し片７には、躯体Ａから突出して足場Ｂに連結される棒状の足場繋ぎ部材１３(図３参照)の挿入が可能な切り込み部７ａが形成されている。足場繋ぎ部材１３は、外壁パネル１１同士の繋ぎ目から突出し、足場Ｂの倒れ防止に寄与する。そして、雨よけシート１の全幅や切り込み部７ａの位置は、足場繋ぎ部材１３の設置場所に応じて適宜決定されている。この足場繋ぎ部材１３の一端には、足場Ｂのパイプに固定されるクランプが設けられ、足場繋ぎ部材１３の他端には、軸組構造の建物の骨組みである梁に固定されて外壁パネル１１の継ぎ目から突出するシャフト１７の雌ネジ部に螺着される雄ネジ部が設けられている。
【００２５】
このような構成を採用すると、躯体Ａと足場Ｂとを連結するための足場繋ぎ部材１３が躯体Ａ側から突出していても、躯体Ａと足場Ｂとの間で、雨よけシート１を躯体Ａの外壁パネル１１に沿って垂らすことができるので、足場Ｂが雨よけシート１で塞がれてしまうような事態を無くすことができ、雨よけシート１を垂らした状態でも足場Ｂを有効に利用することができる。
【００２６】
更に、シート本体２の第３の辺部２ｃ及び第４の辺部２ｄの近傍には、第３及び第４の辺部２ｃ，２ｄに沿って等間隔にハトメ１４，１５が設けられている。第３の辺部２ｃ側のハトメ１４は、継ぎ目隠し片７の裏側に隠されており、第４の辺部２ｄ側のハトメ１５については、露出してはいるが、ファスナ部８ｂと第４の辺部２ｄとの間に配置されているので、雨よけシート１Ａ，１Ｂ同士を面ファスナ８で接合した際には、ハトメ１５が継ぎ目隠し片７によって隠されることになるので、ハトメ１４，１５から雨が入ることが無くなる。
【００２７】
第３の辺部２ｃ側のハトメ１４と第４の辺部２ｄ側のハトメ１５とは、長さ方向において略同じ位置に設けられているので、一方の雨よけシート１Ａのハトメ１５と他方の雨よけシート１Ｂのハトメ１４に紐を通して繋ぐことで、隣接する雨よけシート１Ａ，１Ｂ同士を簡単に接合させることができる。特に、面ファスナ８の接合力が弱くなった場合や、強風のときに効果的である。
【００２８】
本発明は、前述した実施形態に限定されないことは言うまでもない。例えば、雨よけシート１は、足場Ｂの最上段の横桟に掛けるようにして、足場Ｂの外側で垂らしてもよい。また、本発明は、鉄骨軸組構造の建物に限らず、木造や鉄筋コンクリート造の建物についても適用できることは言うまでもない。
【符号の説明】
【００２９】
Ａ…躯体、Ｂ…足場、１…雨よけシート、２…シート本体、２ａ…第１の辺部、２ｂ…第２の辺部、２ｃ…第３の辺部、２ｄ…第４の辺部、３…磁石、７…繋ぎ目隠し片、８…面ファスナ、８ａ，８ｂ…ファスナ部、１２…幕板(磁性体部)、１３…足場繋ぎ部材、１４，１５…ハトメ。
【図１】
0005595691.tif 000002
【図２】
0005595691.tif 000003
【図３】
0005595691.tif 000004
【図４】
0005595691.tif 000005